(57)【要約】      （修正有）【課題】腰ベルトに吊り下げて中から片手で容易にビットを取り出し着磁することができる工具用容器（ビットボトル）を提供する。【解決手段】ビットボトル１００は、略円柱形状のボトル１６０と、キャップ１１０を備えボトルに螺旋止めされたフリッパー１４０と、このビットボトルを吊り下げ可能に保持するフィンガーフック１５０とを備える。キャップは、一対の略直方体形状のネオジウム磁石１２０を挟む位置に、磁石の略直方体の長辺に沿う着磁用の溝部１１２と、溝部のボトル外周両側に、磁石の略直方体の長辺に沿うＬ字部１１４とを備える。すなわち、溝部は、対面しているＮ極に挟まれて沿って設けられ、Ｌ字部は、Ｓ極に沿って、互いに並行に形成されている。【選択図】図１
0003186936.tif 000002
【実用新案登録請求の範囲】
【請求項１】
同一形式の各種サイズの金属製の工具および／または異なる形式の金属製の工具を収納する、少なくとも上部に開口部を備えた略円柱形状または略角柱形状のボトル部と、
前記開口部に設けられた開閉部と、
前記ボトル部および前記開閉部を吊り下げ可能に保持する保持部とを備えた工具用容器であって、
前記開閉部は、
前記ボトル部の胴断面積よりも小さい開口面積を備え、前記工具が貫通する穴部を有する固定部と、
前記穴部を開状態および閉状態とに切り換え可能に前記固定部に設けられた蓋部と、を備え、
前記蓋部は、
同磁極が対面するように、前記蓋部に埋設された一対の略直方体形状の異方性磁石と、
前記一対の異方性磁石を挟む位置に、前記略直方体の長辺に沿う溝部と、を備えることを特徴とする、工具用容器。
【請求項２】
前記蓋部は、前記溝部の前記ボトル外周側に、前記略直方体の長辺に沿うＬ字部を備えることを特徴とする、請求項１に記載の工具用容器。
【請求項３】
前記溝部は、前記対面している磁極に挟まれて沿って、前記Ｌ字部は、前記対面している磁極と異なる磁極に沿って、互いに並行に形成されていることを特徴とする、請求項２に記載の工具用容器。
【請求項４】
前記工具用容器は、非金属製素材で構成されていることを特徴とする、請求項１〜請求項３のいずれかに記載の工具用容器。
【考案の詳細な説明】
【技術分野】
【０００１】
本考案は、ビットやレンチ等の金属製工具を収納する携帯性が良好な容器に関し、特に、容器内からの取り出しおよび容器内への収納が容易で、かつ、金属製工具を容易に着磁および脱磁（消磁ともいうが以下においては脱磁と記載する）することのできる工具用容器に関する。
【背景技術】
【０００２】
螺旋部を備えた締結部材であるボルトやナットなどを回転させるための工具である、ビットやスパナ、めがねレンチおよび六角レンチなどのレンチは、締結部材の大きさに合致させて大小各種のサイズがある。このような工具は、別々に保管されていてもよいが、通常は大から小の工具全体を１つのホルダーに保持されることが多い。これにより、締結部材の大きさ（螺旋寸法）に対応した工具を簡単に取り出すことができ、かつ、容易に持ち運びできて、紛失を防止し得る。
【０００３】
また、たとえば、このような工具を用いて螺旋の締め付けを行う場合、締結部材嵌合部（螺旋穴）と工具先端形状が確実に合致する場合には問題ないが、十分に合致していない場合には工具から締結部材が脱落し、螺旋の締め付けが円滑に行われない問題点がある。実用新案登録第３１２６７００号公報（特許文献１）は、このような問題点を防止するホルダーを開示する。
【０００４】
この特許文献１に開示されたホルダーは、サイズの同一形式の工具（レンチまたはビット）および他形式の工具（レンチまたはビット）を一体的に着脱可能に保持するとともに前記工具の着磁および脱磁を行うべく形成されるツールホルダー（マグネットキャッチ）であって、このツールホルダーは、一端側にヒンジ部を有しこのヒンジ部を中心として左右回動するホルダーアーム部と、左右のホルダーアーム部のロック部とを有し、前記ホルダーアーム部には前記各種工具を保持する凹部が形成されるとともに他端側に異方性マグネットを相対向して配置するものからなることを特徴とする。
【先行技術文献】
【特許文献】
【０００５】
【特許文献１】実用新案登録第３１２６７００号公報
【考案の概要】
【考案が解決しようとする課題】
【０００６】
しかしながら、この特許文献１に開示されたツールホルダー（マグネットキャッチ）は、左ホルダーアーム部および右ホルダーアーム部の他端側に異方性マグネットが夫々設けられこの異方性マグネットは夫々内側に同極を有するために、左ホルダーアーム部と右ホルダーアーム部とを閉止方向に互いに移動させても異方性マグネットの反発力により閉止することはできない。このため、左ホルダーアーム部と右ホルダーアーム部とを閉止するには、強制ロックさせるためのロック部を別途設けなければならない。さらに、このツールホルダーを持ち運んでいるときにロック部によるロックが外れると異方性マグネットの反発力により左ホルダーアーム部と右ホルダーアーム部とが開いて工具が脱落する可能性がある。
【０００７】
また、このツールホルダー（マグネットキャッチ）を用いた工具の着磁方法は、まず、ロック部を解除し、左ホルダーアーム部および右ホルダーアーム部を開いて工具を取り出し、異方性マグネットの間に挾みその状態で前後に移動させる。この着磁操作には作業者が両手で行う必要がある。このようなツールホルダーを持ち運ぶ作業者は、両手ともがあいている状態でないことが多く（たとえば回転工具や締結部材を片手に持っている）、ポケット等に入っているツールホルダーを片手でポケットから出せても、片手では工具を取り出すことも着磁させることも困難である。
【０００８】
本考案は、このような問題点に鑑み、ビットやレンチ等の金属製工具を収納する携帯性が良好な容器であって、たとえば腰ベルトに吊り下げ、容器内からの取り出しおよび容器内への収納が片手でも容易で、かつ、片手でも容易に金属製工具を着磁および脱磁するこ
とのできる、工具用容器を提供することを目的とする。
【課題を解決するための手段】
【０００９】
上述した目的を達成するため、本考案においては以下の技術的手段を講じた。
すなわち、本考案に係る工具用容器は、同一形式の各種サイズの金属製の工具および／または異なる形式の金属製の工具を収納する、少なくとも上部に開口部を備えた略円柱形状または略角柱形状のボトル部と、前記開口部に設けられた開閉部と、前記ボトル部および前記開閉部を吊り下げ可能に保持する保持部とを備える。前記開閉部は、前記ボトル部の胴断面積よりも小さい開口面積を備え、前記工具が貫通する穴部を有する固定部と、前記穴部を開状態および閉状態とに切り換え可能に前記固定部に設けられた蓋部と、を備える。前記蓋部は、同磁極が対面するように、前記蓋部に埋設された一対の略直方体形状の異方性磁石と、前記一対の異方性磁石を挟む位置に、前記略直方体の長辺に沿う溝部と、を備えることを特徴とする。
【００１０】
好ましくは、前記蓋部は、前記溝部の前記ボトル外周側に、前記略直方体の長辺に沿うＬ字部を備えるように構成することができる。
さらに好ましくは、前記溝部は、前記対面している磁極に挟まれて沿って、前記Ｌ字部は、前記対面している磁極と異なる磁極に沿って、互いに並行して形成されているように構成することができる。
【００１１】
さらに好ましくは、前記工具用容器（より詳しくは異方性磁石以外）を非金属製素材で構成することができる。
【考案の効果】
【００１２】
本考案によれば、ビットやレンチ等の金属製工具を収納する携帯性が良好な容器であって、たとえば腰ベルトに吊り下げ、容器内からの取り出しおよび容器内への収納が片手でも容易で、かつ、片手でも容易に金属製工具を着磁および脱磁することのできる、工具用容器を提供することができる。
【図面の簡単な説明】
【００１３】
【図１】本考案の実施の形態に係る工具用容器（ビットボトル）の斜視図である。
【図２】図１のビットボトルの三面図（その１）である。
【図３】図１のビットボトルの三面図（その２）である。
【図４】図１のビットボトルの分解図である。
【図５】図１のビットボトルのキャップの仮想斜視図である。
【図６】図１のビットボトルのキャップの上面図である。
【図７】図１のビットボトルを用いた着磁方法および脱磁方法を説明するための図である。
【考案を実施するための形態】
【００１４】
以下、本考案の実施の形態に係る工具用容器を、図面に基づき詳しく説明する。なお、以下の説明では、同一の部品（部分）には同一の符号を付してある。それらの名称及び機能も同じである。したがって、それらについての詳細な説明は繰り返さない。また、以下の説明において、本実施の形態に係る工具用容器に収納される金属製の工具は、電動工具またはエアー工具等の回転工具に着脱自在に取り付けられ、回転トルクを伝達させて螺旋を締めたり弛めたりするために用いられるビットとするが、本考案に係る工具用容器は、このビットを収納するもの（同じサイズを収納するものであっても異なるサイズを混ぜて収納するものであっても構わない）に限定されるものではなく、他の工具であるレンチ等を収納するものであっても、ビットおよびレンチ等を混ぜて収納するものであっても構わない。
【００１５】
［ビットボトルの全体構造］
図１に、本考案の実施の形態に係る工具用容器の一例であるビットボトル１００の全体斜視図を、図２および図３にこのビットボトル１００の三面図を、図４にこのビットボトル１００の分解図をそれぞれ示す。図２（Ａ）はこのビットボトル１００の上面図、図２（Ｂ）はその側面図、図２（Ｃ）はその底面図であって、図３（Ａ）はこのビットボトル１００の正面図、図３（Ｂ）はその側面図、図３（Ｃ）はその背面図であって、図２（Ｂ
）と図３（Ｂ）とは同じ図である。
【００１６】
これらの図に示すように、このビットボトル１００は、１種類または２種類以上のサイズのビットまたはこのようなビットに加えて異なる形式（異なる種類の工具）であるレンチ等の工具を収納する。このビットボトル１００は、大きくは、上部開口部１６２および下部開口部１６４を備えた略円柱形状の透明なボトル１６０と、上部開口部１６２に螺旋止めされた開閉部（符号なし、後述するキャップ１１０、ネオジウム磁石１２０、キャップカバー１３０およびフリッパー１４０で構成される）と、ボトル１６０および開閉部を吊り下げ可能に保持する保持部であるフィンガーフック１５０とを備える。
【００１７】
そして、開閉部は、蓋部であるキャップ１１０と、キャップ１１０に埋設されたネオジウム磁石１２０と、キャップ１１０とでネオジウム磁石１２０を挟持するキャップカバー１３０と、フィンガーフック１５０とともにボトル１６０の上部開口部１６２に螺旋止めするとともにキャップ１１０を回動自在に保持するための固定部であるフリッパー１４０とで構成される。キャップ１１０の所定の位置にネオジウム磁石１２０が嵌め込まれた後にキャップカバー１３０がキャップ１１０に嵌め込まれて、キャップ１１０とキャップカバー１３０とによりネオジウム磁石１２０が挟持される。なお、ネオジウム磁石１２０の詳しい配置および磁極の向きについては後述する。
【００１８】
フリッパー１４０は、キャップ１１０により開状態および閉状態が切り換えられる穴部であって、ボトル１６０の胴断面積よりも小さく上部開口部１６２の開口面積と略同じ開口面積を備え、ビットが貫通する穴部（符号なし）を備える。キャップ１１０は、Ｌ字形状であって、平面状であってネオジウム磁石１２０が埋設された本体部から略直角に延設された支持部１１６に嵌合穴１１８が設けられている。フリッパー１４０は、この嵌合穴１１８に嵌合する凸部を備える。この凸部が嵌合穴１１８に嵌合して、ボトル１６０に固着されたフリッパー１４０に対してキャップ１１０が回動自在に設けられる。詳しくは、図４に示すように、キャップ１１０は、開方向（矢示ＯＰ方向）および閉方向（矢示ＣＬ方向）に回動自在に設けられている。
【００１９】
さらに、キャップ１１０の閉方向端において、キャップ１１０に設けられた係合部（図示しない）およびフリッパー１４０に設けられた係合部（図示しない）が係合して、キャップ１１０の閉状態を保持することができる。また、同じようにキャップ１１０の開方向端においてキャップ１１０の開状態を保持できるようにすることも、ビットの取り出しを容易にする点で好ましい。なお、フリッパー１４０は、上述したように、フィンガーフック１５０とともにボトル１６０の上部開口部１６２に螺旋止めされるため、上部開口部１６２に設けられた螺旋部に螺合する螺旋部を備える。
【００２０】
フィンガーフック１５０は、このビットボトル１００を指先や腰ベルトのフック部に吊り下げ可能に保持する保持リング１５２と、ボトル１６０の上部１６６の外径に装着可能な内径を備えた固着リング１５４と、これらの保持リング１５２と固着リング１５４とを接続する接続部１５６とで構成される。固着リング１５４の内径は、ボトル１６０の上部１６６の外径に対して大きめにすると、開閉部およびボトル１６０に対して、フィンガーフック１５０を回転自在に吊り下げることができる。
【００２１】
このボトル１６０は、底部が抜けており、ボトル１６０の下部開口部１６４に設けられた螺旋部によりソールカバー１７０が螺旋止めされている。すなわち、下部開口部１６４はボトル１６０の略胴径程度の大きさであって、上部開口部１６２よりも大きい開口面積を備える。
このように、ボトル１６０の上部開口部１６２の開口面積が小さいとこのビットボトル１００を傾斜させることによりビットを１本ずつ取り出せる点で好ましいが、セット購入した１０本〜２０本程度のビットをボトル１６０に収納するには手間を必要とする。このような場合には、この下部開口部１６４に螺旋止めされたソールカバー１７０を外して、セット購入した多数のビットを流し入れると手間が少なくなり好ましい。また、後述するように、着磁された状態でビットをボトル１６０に収納するとビットどうしが磁力によりくっついてしまい、上部開口部１６２から取り出すことが困難になる可能性がある。このような場合にも、この下部開口部１６４に螺旋止めされたソールカバー１７０を外して、
磁力でくっついたビットを容易に取り出すことができる。
【００２２】
ここで、上述したようにソールカバー１７０を合成ゴム等のボトル１６０よりも耐衝撃性の高い素材で構成することにより、このビットボトル１００を落下させた場合の衝撃を吸収できる点で好ましいが、ボトル１６０は底部を備え、下部開口部１６４を備えないものであっても構わない。さらに、ボトル１６０の上部開口部１６２の開口面積を下部開口部１６４の開口面積程度と大きくしておいて、フリッパー１４０または／およびフィンガーフック１５０により開口面積を絞るようにしても構わない。このようにすると、ボトル１６０は底部を備え下部開口部１６４を備えないものであっても、この上部開口部１６４に螺旋止めされたフリッパー１４０およびフィンガーフック１５０を外して、セット購入した多数のビットを流し入れると手間が少なくなる点で好ましく、また、着磁された状態でビットをボトル１６０に収納したことにより磁力でくっついたビットを容易に取り出すことができる点で好ましい。
【００２３】
なお、上述したビットボトル１００を構成する２以上の部材が１部材で構成されていたり、ビットボトル１００を構成する１部材が２以上の部材で構成されていたりしていても構わない。
また、このビットボトル１００は、非金属製の素材により構成されている。たとえば、キャップ１１０、キャップカバー１３０およびボトル１６０はポリプロピレン製であって、フリッパー１４０はポリエチレン製であって、フィンガーフック１５０およびソールカバー１７０は合成ゴム製である。また、たとえば、キャップ１１０、キャップカバー１３０、フリッパー１４０、フィンガーフック１５０およびソールカバー１７０は射出成形品であって、ボトル１６０はブロー成形品である。
【００２４】
［ネオジウム磁石］
次に、上述の図１〜図４に加えて、ビットボトル１００のキャップ１１０の仮想斜視図を示す図５およびビットボトル１００のキャップ１１０の上面図を示す図６を参照して、ビットを着磁および脱磁するためのネオジウム磁石１２０の配置および磁極の向きについて詳しく説明する。
【００２５】
ネオジウム磁石１２０は、キャップ１１０に、同磁極が対面するように埋設された一対の略直方体形状の異方性の第１磁石１２２および第２磁石１２４とから構成される。たとえば、図５に示す、第１磁石１２２の面１２２Ａ側および第２磁石１２４の面１２４Ａ側がＮ極であって、第１磁石１２２の面１２２Ｂ側および第２磁石１２４の面１２４Ｂ側がＳ極であるか、逆の磁極である、面１２２Ａ側および面１２４Ａ側がＳ極であって、面１２２Ｂ側および面１２４Ｂ側がＮ極である。ここでは、面１２２Ａ側および面１２４Ａ側がＮ極であって、面１２２Ｂ側および面１２４Ｂ側がＳ極であるとする。
【００２６】
キャップ１１０には、この一対の第１磁石１２２および第２磁石１２４を挟む位置に、磁石の略直方体の長辺に沿う着磁用の溝部１１２を備える。さらに、キャップ１１０には、溝部のボトル１６０外周両側に、磁石の略直方体の長辺に沿うＬ字部１１４を備える。すなわち、溝部１１２は、対面しているＮ極に挟まれて沿って設けられ、Ｌ字部１１４は、対面しているＮ極と異なるＳ極に沿って、互いに並行に形成されている。
【００２７】
なお、キャップ１１０の上面には、着磁を示す「＋」記号、脱磁を示す「−」記号、ならびに、着磁方向および脱磁方向を示す矢印マークが設けられている。
［ビットボトルを用いた作業動作］
以上のような構造を備えた、本実施の形態に係るビットボトル１００を用いた作業動作について説明する。
【００２８】
多数のビットが収納されたビットボトル１００のキャップ１１０を矢示ＯＰ方向に回動させてキャップ１１０を開状態とする。このとき、キャップ１１０の本体部先端を指先で押し上げたり指先に引っかけたりして、閉状態に保持されているキャップ１１０を開状態に移行させる。このようにすると、片手で、キャップ１１０を開けることができる。次いでキャップ１１０が開いたビットボトル１００を傾斜させて、１本のビットを取り出す。この場合において、上部開口部１６２およびキャップ１１０に設けられた穴部の開口面積をビット２本以上に貫通しない大きさとすると、ビットボトル１００を逆さまにしても、
ビットが１本だけを取り出すことができる点で好ましい。
【００２９】
ビットＢを着磁させる場合には、図７（Ａ）に示すように、取り出したビットＢを、溝部１１２に嵌め込んで矢示Ｘ方向に数回往復移動させる。これによりビットＢが着磁される。なお、取り出したビットＢを、溝部１１２に嵌め込んで押圧するだけ（矢示Ｘ方向の往復移動なし）で着持させることも可能である。
ビットＢを脱磁させる場合には、図７（Ｂ）に示すように、ビットＢを、Ｌ字部１１４に押し当てて矢示Ｘ方向に数回往復移動させた後に、矢示Ｙ方向に移動させる（ネオジウム磁石１２０から離隔させる）。これによりビットＢが脱磁される。なお、ビットＢを、Ｌ字部１１４に押し当てて矢示Ｙ方向に移動させるだけ（矢示Ｘ方向の往復移動なし）で着持させることも可能である。
【００３０】
なお、着磁時および脱磁時のいずれにおいてもキャップ１１０は開状態であっても閉状態であってもいずれの状態であっても構わない。
［作用効果］
以上のようにして、本実施の形態に係るビットボトル１００によると、ビットやレンチ等の金属製工具を収納する際の携帯性が良好であって、たとえば腰ベルトに吊り下げ、容器内からの取り出しおよび容器内への収納が片手でも容易で、かつ、片手でも容易に金属製工具を着磁および脱磁することができる。
【００３１】
ここで、着磁されたビットを脱磁しないでこのビットボトル１００の中に収納するとビットどうしが磁力によりくっついてしまい、上部開口部１６２から取り出すことが困難になるので、脱磁前のビットを収納しない旨の注意書きをこのビットボトル１００に記載することも好ましい。
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３２】
本考案は、ビットやレンチ等の金属製工具を収納する携帯性が良好な容器に好適に適用でき、たとえば腰ベルトに吊り下げ、容器内からの取り出しおよび容器内への収納が片手でも容易で、かつ、片手でも容易に金属製工具を着磁および脱磁することのできる点で特に好適に適用することができる。
【符号の説明】
【００３３】
１００  ビットボトル
１１０  キャップ
１２０（１２２、１２４）  ネオジウム磁石
１３０  キャップカバー
１４０  フリッパー
１５０  フィンガーフック
１６０  ボトル
１７０  ソールカバー
Ｂ  ビット
【図１】
0003186936.tif 000003
【図２】
0003186936.tif 000004
【図３】
0003186936.tif 000005
【図４】
0003186936.tif 000006
【図６】
0003186936.tif 000007
【図５】
0003186936.tif 000008
【図７】
0003186936.tif 000009